(57)【特許請求の範囲】
【請求項１】
モータが固定された基板と、モータに接続された駆動部材と、この駆動部材の駆動により往復移動される装飾部材とを備える遊技機の可動装飾装置において、
前記基板の前面側に、挿通孔を有する支持部を設け、
装飾部材の背面には上下方向にのびるガイド棒の両端部を固定し、このガイド棒の中間部分を前記挿通孔に差し込んで、装飾部材を上下方向に往復移動可能に支持し、
前記駆動部材と支持部とを、移動する装飾部材がどの位置にあっても、その装飾部材によって隠される位置に設けて、遊技者から視認不能とした構成とし、かつ
前記駆動部材を一部に歯のない部分を備えた駆動ギアとなすとともに、前記装飾部材の背面にこの駆動ギアに噛合されるラックギアをガイド棒と平行に設け、無ギア部がラックギアに差し掛かったときに急激に装飾部材を落下させることを特徴とする遊技機の可動装飾装置。
【発明の詳細な説明】
【技術分野】
【０００１】
本発明は、遊技機の役物に用いられる可動装飾装置に関するものである。
【背景技術】
【０００２】
パチンコ機等の弾球遊技機においては、遊技者が飽きないように長い時間に渡って遊技者の興味を引き付けることが求められる。このために最近の遊技機は、画像表示装置において単に二次元的な図柄の表示を行うのみならず、三次元的な演出を行うための可動体など装飾部品を備えたものが多い。このような遊技機として、例えば特許文献１には、遊技盤上を進行する遊技球の入賞の邪魔にならず、且つ画像演出による演出効果を減退させない可動体を有する図柄表示装置を備えた遊技機が開示されている。当該可動体は遊技球の進路範囲外に配置され、且つ表示装置上を移動する際に該可動体で覆われた表示画面の所定領域内を外部から視認できるように過透性を有する要素で構成されている。
【０００３】
しかしながら、上記したものは、可動体が単に表示画面の前を左右に移動するのみであるので、装飾態様が変化に乏しいものである。また、スパイラル軸が表示画面側に設けられているために、スパイラル軸がむき出しになってしまい見栄えを損なうので、これを覆うためのカバー体が別途必要となっていた。
【特許文献１】特開２００５−３４３１６号公報  （図２８）
【発明の開示】
【発明が解決しようとする課題】
【０００４】
本発明は、上記した従来の問題点に鑑み、装飾態様が変化に富み、且つ見栄えをよくするためのカバー体を別途必要としない遊技機の可動装飾装置を提供することを課題とする。
【課題を解決するための手段】
【０００５】
上記の課題を解決するためになされた本発明の可動装飾装置は、モータが固定された基板と、モータに接続された駆動部材と、この駆動部材の駆動により往復移動される装飾部材とを備える遊技機の可動装飾装置において、前記基板の前面側に、挿通孔を有する支持部を設け、装飾部材の背面には上下方向にのびるガイド棒の両端部を固定し、このガイド棒の中間部分を前記挿通孔に差し込んで、装飾部材を上下方向に往復移動可能に支持し、前記駆動部材と支持部とを、移動する装飾部材がどの位置にあっても、その装飾部材によって隠される位置に設けて、遊技者から視認不能とした構成とし、かつ前記駆動部材を一部に歯のない部分を備えた駆動ギアとなすとともに、前記装飾部材の背面にこの駆動ギアに噛合されるラックギアをガイド棒と平行に設け、無ギア部がラックギアに差し掛かったときに急激に装飾部材を落下させることを特徴とするものである。
【０００６】
【発明の効果】
【０００７】
本発明は、ガイド棒を挿通孔内を摺動させることによって、装飾部材を上下方向に往復移動させることができる。また、駆動部材と支持部とを移動する装飾部材がどの位置にあっても、その装飾部材によって隠される後方位置（遊技者とは反対の方向）に配したので、遊技者方向からの見栄えを損なうことがない。よって、カバー体が不要である。また、駆動部材を一部に歯のない部分を備えた駆動ギアとなすとともに、前記装飾部材の背面にこの駆動ギアに噛合されるラックギアをガイド棒と平行に設けることにより、無ギア部がラックギアに差し掛かったときに装飾部材が自重により急激に落下する。このため、装飾部材の昇降速度に緩急をつけることができるので、演出効果が高まる。
【発明を実施するための最良の形態】
【０００８】
以下に本発明の実施形態及び参考形態を図面により説明する。
図１〜３は、本発明の実施形態の可動装飾装置を示す図である。図において、１は縦型の基板、２は駆動ギア、３は装飾部材である。基板１はベース板１１ａと、ベース板１１ａの遊技者側に設けたＬＥＤ基板１１ｂと、さらに遊技者側に設けたレンズ板１１ｃとからなる。ＬＥＤ基板１１ｂの遊技者側には、図示していないＬＥＤが複数個配置されている。これらは、ＬＥＤ基板１１ｂとレンズ板１１ｃとの間にボス１２を設けることにより、ＬＥＤの光を拡散させるための隙間１４を設けて、ベース板１１ａの裏側から螺子１３で螺着することにより組み立てられている。
【０００９】
基板１の裏側には、モータＭが螺着され、基板１から前方（遊技者方向）に突出する回転軸１５には駆動ギア２が装着されている。この駆動ギア２はギア部２１と無ギア部２２とを有する。また、基板１の前側（遊技者側）には支持部１６が螺設されていて、この支持部１６は垂直方向に開口する挿通孔１７を有している。
【００１０】
装飾部材３は、外形が変則多角形の装飾部材本体３１の裏側にボス部３２が設けられており、このボス部３２に取付け基板３３が螺着されている。取付け基板３３には、垂直方向に延伸するガイド棒３４の両端部が固定されており、ガイド棒３４と平行にラックギア３５が設けられている。図１、図２に示されるように、このガイド棒３４の中間部分を前記挿通孔１７に差し込んで、装飾部材３を往復移動可能に支持している。また、支持部１６と駆動部材とは、移動する装飾部材３がどの位置にあっても、その装飾部材３によって隠される位置に設けてある。
【００１１】
以上のように構成されたものにおいては、図１のように駆動ギア２のギア部２１がラックギア３５の上端部に噛合されると、駆動ギア２の反時計回り方向の回転とともにラックギア３５が上昇されるので、これによって装飾部材３が垂直方向に上昇される（図４、５）。
【００１２】
そして、駆動ギア２がさらに反時計回り方向に回転されて無ギア部２２がラックギア３５に差し掛かると駆動ギア２とラックギア３５との噛合が解除されるので、上昇されていた装飾部材３は一挙に落下することとなる。そして、ギア部２１がラックギア３５に差し掛かると再び駆動ギア２とラックギア３５との噛合が開始されて装飾部材３は上昇に転ずることとなる。以上のように繰り返して装飾部材３を昇降させることができる。
【００１３】
図６〜８は、参考形態の可動装飾装置を示す図であって、この可動装飾装置は、装飾部材３を有する中央の可動装飾装置９１と、その両側の装飾部材３ａ又は３ｂを有する可動装飾装置９２，９３が一組に組み合わされたものである。中央の可動装飾装置９１は、モータＭの回転軸１５に装着されラックギア３５と噛合する駆動ギア２と、駆動ギア２と同軸で基板１の裏側に設けられた動力伝達ギア４とを有している。この動力伝達ギア４はモータＭの回転軸１５に装着されたモータギア７と噛合している。また、両側の可動装飾装置９２，９３は、それぞれラックギア３５ａ、３５ｂに噛合される駆動ギア２ａ、２ｂと、駆動ギア２ａ、２ｂと同軸で基板１の裏側に設けられた動力伝達ギア４ａ、４ｂとを有している。そして、動力伝達ギア４と４ａとは中間ギア５により接続されており、動力伝達ギア４と４ｂとは中間ギア６ａ、６ｂにより接続されている。
【００１４】
以上のように構成されたものにおいては、モータＭが駆動されることによってモータギア７、動力伝達ギア４を介して駆動ギア２が反時計回り方向に駆動され、これによってガイド棒３４の左側に設けられたラックギア３５が上昇されるので、装飾部材３もともに上昇される。
また、動力伝達ギア４が反時計回りに駆動されることによって、中間ギア５を介して、動力伝達ギア４ａが駆動され、駆動ギア２ａも反時計回り方向に駆動される。よって、駆動ギア２ａの駆動によりガイド棒３４ａの左側に設けられたラックギア３５ａが上昇されるので、装飾部材３ａも上昇されることとなる（図９、１０）。
【００１５】
また、動力伝達ギア４が反時計回りに駆動されることによって、中間ギア６ａ、６ｂを介して、動力伝達ギア４ｂが時計回り方向に駆動されるので、駆動ギア２ｂも時計回りに駆動される。よって、駆動ギア２ｂの駆動によりガイド棒３４ｂの右側に設けられたラックギア３５ｂが上昇されるので、装飾部材３ｂも上昇されることとなる。このように、一つの駆動源により複数の装飾部材３，３ａ，３ｂを昇降させることができる。
これらの駆動ギア２、２ａ、２ｂは、無ギア部を有していないので、モータＭが正転、逆転を繰り返すことによって、装飾部材３、３ａ，３ｂが昇降を繰り返すことができる。
【００１６】
なお、動力伝達ギア４、４ａ、４ｂの歯数は適宜の枚数に変えてあるので、モータギア７に対して駆動ギア２、２ａ、２ｂの回転比を異なるものとしてある。よって、装飾部材３、３ａ、３ｂの昇降速度を異なるものとすることができるので、遊技者が飽きることのない装飾態様の変化を付与することができる。例えば、図６のように降下時には高さが異なっていた装飾部材３、３ａ、３ｂを、上昇後は図９に示すように高さを整然と揃えることができる。
【００１７】
以上説明したように、本発明の遊技機の可動装飾装置は、ガイド軸を可動する装飾部材側に備えたこと、及び基板側に設けた支持部と駆動部材とを、移動する装飾部材がどの位置にあっても、その装飾部材によって隠される位置に設けたことにより、従来の問題、すなわち、基板側にガイド軸を設けた場合にはガイド軸を隠すためのカバー部材が別途必要になるという問題を解決することができる。
さらに、装飾部材が下降して出現する領域にはガイド軸等が設けられていないので、カバー部材を用いずともこの領域の見栄えを損なうことがなく、且つこの領域に設けられた各種装飾部材を有効に利用することが可能になるという利点がある。
また、駆動部材を一部に歯のない部分を備えた駆動ギアとなすことにより、無ギア部がラックギアに差し掛かったときに装飾部材を急激に落下させて、演出効果を高めることができる。
なお、本発明における実施例では、各種装飾部材の一例としてＬＥＤを用いた発光体が記載されているが、これに限定されるものではなく、基板に描かれた図柄や、各種表示装置等であってもよい。
【図面の簡単な説明】
【００１８】
【図１】本発明の実施形態の可動装飾装置を示す正面図である。
【図２】図１の可動装飾装置の側面図である。
【図３】図１の可動装飾装置の平面図である。
【図４】装飾部材が上昇された図１の可動装飾装置の正面図である。
【図５】図４の可動装飾装置の側面図である。
【図６】参考形態の可動装飾装置を示す正面図である。
【図７】図６の可動装飾装置の側面図である。
【図８】図６の可動装飾装置の平面図である。
【図９】装飾部材が上昇された図６の可動装飾装置の正面図である。
【図１０】図９の可動装飾装置の側面図である。
【符号の説明】
【００１９】
２  駆動ギア、３  装飾部材、１６  支持部、１７  挿通孔、２２  無ギア部、３４  ガイド棒、３５  ラックギア
【図１】
0005119391.tif 000002
【図２】
0005119391.tif 000003
【図３】
0005119391.tif 000004
【図４】
0005119391.tif 000005
【図５】
0005119391.tif 000006
【図６】
0005119391.tif 000007
【図７】
0005119391.tif 000008
【図８】
0005119391.tif 000009
【図９】
0005119391.tif 000010
【図１０】
0005119391.tif 000011